(57)【特許請求の範囲】
【請求項１】
ノズル装置全体が、ブラスト室を画成する側壁１の内側にブラケット２Ａを介して固定可能にされると共に貫通孔２Ｂを有する基台ピース２と、前記基台ピース２に凹凸嵌合可能にされると共に連通孔３Ｄを有する補助ピース３と、該基台ピース２の前端及び補助ピース３の先端に凹凸嵌合可能にされると共に先端部にノズル５をネジキャップ６を介して連通固定した通路孔４Ｃを有する先端ピース４と、により構成され、
前記先端ピース４には、前記基台ピース２と先端ピース４との間に補助ピース３を介在させて圧着した状態で前記基台ピース２の前面から一定寸法（Ｌ）離れた位置両側及び前記基台ピース２に補助ピース３を介在させずに圧着された状態で該基台ピース２の前面から一定寸法（Ｌ）離れた位置両側に係合ピン７、７、８、８を横方向に突出させてそれぞれ設け、
前記基台ピース２における左右両側部には中間下部に、前記係合ピン７、７、８、８に押圧摺動係合して該先端ピース４を補助ピース３を介在させて又は介在させずに前記基台ピース２の前面に圧着させるハッカー爪１０、１０を備えたクランプアーム１１、１１の基部を上下回転可能に設け、
前記クランプアーム１１、１１を前記先端ピース２の位置において押え板１２を介してボルト１３及びナット１４により固定する固定具１５を配設したことを特徴とするエヤーブラスト用ノズル装置。
【請求項２】
前記先端ピース４における係合ピン７、７、及び係合ピン８、８取付け位置外形が外側に突出された環状突起４Ｄ、４Ｅにされていること特徴とする請求項１記載のエヤーブラスト用ノズル装置。
【請求項３】
前記係合ピン７、７と係合ピン８、８との間隔が前記補助ピース３の長さと同じになっていることを特徴とする請求項１又は２記載のエヤーブラスト用ノズル装置。
【発明の詳細な説明】
【０００１】
【発明の属する技術分野】
本発明は、ブラスト室内に備えられて、投射材を圧縮空気と共に噴射させて製品の表面をブラスト加工あるいはピーニング加工をするエヤーブラスト用ノズル装置に関する。
【０００２】
【従来の技術】
従来、上記のようなエヤーブラスト装置は、実開昭５１−１５１１９１号公報及び実開昭５６−１２６３６１号公報等により公知になっており、これらエヤーブラスト装置のノズルは、ブラスト室に締結体により固定して取付けられるのが一般的である。
一方ブラスト加工すべき製品が大小２種類になる場合は、製品表面とノズルの先端との距離を一定にする必要があることから製品の大小に合わせて長さの異なる２種類のノズルを準備しておき、製品が変わる都度ブラスト室に締結体により固定されているノズルと別のノズルとを交換して効率のよいブラスト加工をするようにしている。
【０００３】
【発明が解決しようとする課題】
しかし上記のようにブラスト室に締結体により固定されているノズルと別に準備されているノズルとの交換は、狭いブラスト室内で多数の締結体を取り外して使用済みのノズルを外し、新しいノズルを多数の締結体の締付により固定させる作業が必要となり、ノズルの交換に長い時間と労力を要する問題があった。
本発明は、上記の問題に鑑みて成されたもので、ブラスト加工処理すべき製品の大小に応じてブラスト室内に固定されるノズルの先端位置を簡単に変更して製品表面とノズル先端との間隔を最適状態に調整できるエヤーブラスト用ノズル装置を提供することを目的とする。
【０００４】
【課題を解決するための手段】
上記の目的を達成するために本発明におけるエヤーブラスト用ノズル装置は、ノズル装置全体が、ブラスト室を画成する側壁の内側にブラケットを介して固定可能にされると共に貫通孔を有する基台ピースと、前記基台ピースに凹凸嵌合可能にされると共に連通孔を有する補助ピースと、該基台ピースの前端及び補助ピースの先端に凹凸嵌合可能にされると共に先端部にノズルをネジキャップを介して連通固定した通路孔を有する先端ピースと、により構成され、
前記先端ピースには、前記基台ピースと先端ピースとの間に補助ピースを介在させて圧着した状態で前記基台ピースの前面から一定寸法（Ｌ）離れた位置両側及び前記基台ピースに補助ピースを介在させずに圧着された状態で該基台ピースの前面から一定寸法（Ｌ）離れた位置両側に係合ピンを横方向に突出させてそれぞれ設け、
前記基台ピースにおける左右両側部には中間下部に、前記係合ピンに押圧摺動係合して該先端ピースを補助ピースを介在させて又は介在させずに前記基台ピースの前面に圧着させるハッカー爪を備えたクランプアームの基部を上下回転可能に設け、
前記クランプアームを前記先端ピースの位置において押え板を介してボルト及びナットにより固定する固定具を配設したことを特徴とするものである。
【０００５】
【発明の実施の形態】
以下本発明の実施の形態を図面に基づいて詳しく説明する。ブラスト室を画成する側壁１の開口部１Ａ内側には、左右に貫通する貫通孔２Ｂを有する基台ピース２がブラケット２Ａを介してボルト締め固定されており、該基台ピース２の前端部は、先細突起２Ｃに形成されていると共に該基台ピース２の基端部は図示されない投射材輸送管に連通接続されている。
また該基台ピース２の前端には、その後端に前記先細突起２Ｃに嵌合可能な凹部３Ａを形成すると共に先端に前記先細突起２Ｃと同じ先細突起３Ｂを形成した補助ピース３が廻り止めピン３Ｃを介して嵌合されている。なお補助ピース３には前記貫通孔２Ｂに連通する連通孔３Ｄが穿孔されている。
【０００６】
さらに前記補助ピース３の前端には、その後端に前記先細突起２Ｂ、３Ｂに嵌合可能な凹部４Ａを形成すると共に先端にノズル５をネジキャップ６を介して連通固定させた先端ピース４が廻り止め４Ｂを介して嵌合されている。なお先端ピース４には前記貫通孔２Ａあるいは連通孔３Ｄに連通する通路孔４Ｃが穿孔されていて、その先端部はノズルピース７を介して前記ノズル５の噴射孔５Ａに連通されている。
【０００７】
また前記先端ピース４には、前記基台ピース２の前端に補助ピース３を介在させて圧着された状態で基台ピース２の前端から一定寸法（Ｌ）離れた位置（図示のもの）及び前記補助ピース３を介在させずに基台ピース２に圧着された状態で基台ピース２の前端から一定寸法（Ｌ）離れた位置に、外側に突出された環状突起４Ｄ、４Ｅが形成されていて、該環状突起４Ｄ、４Ｅの前後両側位置には係合ピン７、７、８、８が水平方向に頭部を突出させた状態にして植設されている。すなわち係合ピン７、７と係合ピン８、８の間隔は、前記補助ピース３の長さと同じ寸法にされている。
なお前記環状突起４Ｄ、４Ｅの上面中央部にはボルト孔９Ａ、９Ｂが穿孔されている。
【０００８】
さらに前記基台ピース２における左右両側部には、その中間下部に前記補助ピース３を介在させ又は介在させずに圧着させた先端ピース４の係合ピン７、７又は係合ピン８、８に押圧摺動係合可能なハッカー爪１０、１０を備えたクランプアーム１１、１１がその基部を上下回転可能にしてピン１１Ｂ、１１Ｂ連結されている。
さらに該クランプアーム１１、１１における前記環状突起４Ｄに対応する上部は、押え板１２を掛け渡しして載置すると共にボルト孔９Ａにねじ込み立設したボルト１３及びナット１４を介して共締めする固定具１５によって固定されている。
【０００９】
上記のように構成されたエヤーブラスト用ノズル装置についてブラスト加工すべき製品が変更されて製品外形が大きくなる場合で、ノズル５の先端位置を基台ピース２の方向に位置移動させる操作を説明する。
図１において固定具１５のナット１４をゆるめると共にボルト１３をボルト孔９Ａから抜き出し押え板１２を取り除いた後クランプアーム１１、１１を鎖線図のように押し上げ、ハッカー爪１０、１０を係合ピン７、７との係合から外す。
次に先端ピース４と補助ピース３及び基台ピース２の凹凸嵌合を手作業により抜き出し補助ピース３を取り除いて先端ピース４を基台ピース２に直接凹凸嵌合させる。これによりノズル５の先端は基台ピース２の方向に所定距離（補助ピース２の長さ寸法分）移動されたことになる。
【００１０】
以下クランプアーム１１、１１を下降させてハッカー爪１０、１０を係合ピン８、８に押圧摺動係合させて圧着連通を確実なものにし、さらにクランプアーム１１、１１上における環状突起４Ｅの対応位置上部に押え板１２を掛け渡しして載置する。
次に前記ボルト１３を前記ボルト孔９Ｂに螺合立設させ、ナット１４を締め付けてクランプアーム１１、１１を上方に回動しないように先端ピース４に固定させてノズル５先端の位置調整を終える。
またノズル５の先端位置を反対側に移動させる場合は図１、２に示すように補助ピース３を介在させればよい。
【００１１】
【発明の効果】
本発明は、上記の説明から明らかなように、ノズル装置全体を基台ピース、補助ピース、及びノズルを付属させた先端ピースとにより構成し、基台ピースには先端ピースの前後２位置に設けた係合ピンの何れかに係合するハッカー爪を有するクランプアームを回転可能に設け、該クランプアームを前記先端ピースに固定具を介して共締め固定するようにしたから、ブラスト室内にセットされる製品の大きさに応じて固定具の簡単な取り外し作業により補助ピースを介在させたり、介在させないでノズル先端の位置変更を行うことができるようになる等の効果がある。
【図面の簡単な説明】
【図１】本発明の実施形態を示す一部切り欠き正面図である。
【図２】図１におけるＡ−Ａ矢視図である。
【図３】図１におけるＢ−Ｂ矢視図である。
【符号の説明】
２ 基台ピース
２Ａ ブラケット
２Ｂ 貫通孔
３ 補助ピース
３Ｄ 連通孔
４ 先端ピース
４Ｃ 通路孔
５ ノズル
６ ネジキャップ
７ ８
係合ピン
１０ ハッカー爪
１１ クランプアーム
１２ 押え板
ボルト
ナット
１５ 固定具
【図１】
0003724691.tif 000002
【図２】
0003724691.tif 000003
【図３】
0003724691.tif 000004